(57)【要約】【課題】或るユーザの画像として管理されている画像からの、他のユーザの画像として管理される画像の複製を抑制する端末装置を提供する。【解決手段】本発明の一態様に係る携帯端末（６）は、当該端末装置（６）のユーザの画像として管理されている画像を他のユーザの管理する画像として複製する複製指示を受け付ける入力制御部（６１２）を備え、複数の画像のうち少なくとも一部の画像には複製を制限する複製制限フラグが関連付けられており、入力制御部（６１２）は、複製制限フラグが関連付けられている画像に対する複製指示の受け付けを制限する。【選択図】図１２
2015180015.tif 000002
【特許請求の範囲】
【請求項１】
写真シール作成装置において生成された複数の画像のうち、当該端末装置のユーザの画像として管理されている画像を表示する表示部と、
上記ユーザの画像として管理されている画像を、当該ユーザとは異なる他のユーザの管理する画像として複製する複製指示を受け付ける指示受付手段と、
上記複製指示の対象の候補となる画像を上記表示部に表示する表示制御手段と、を備え、
上記複数の画像のうち少なくとも一部の画像には、複製を制限するフラグが関連付けられており、
上記指示受付手段は、上記ユーザの画像として管理している画像のうち上記フラグが関連付けられている画像に対する上記複製指示の受け付けを制限する、
ことを特徴とする端末装置。
【請求項２】
上記ユーザが所定の権限を有するユーザであるか否かを判定する判定手段を更に備え、
上記指示受付手段は、上記判定手段により上記ユーザが所定の権限を有するユーザでないと判定された場合に、上記フラグが関連付けられている画像に対する上記複製指示の受け付けを制限する、
ことを特徴とする請求項１に記載の端末装置。
【請求項３】
上記表示制御手段は、上記判定手段により上記ユーザが所定の権限を有するユーザでないと判定された場合に、上記フラグが関連付けられている画像を表示しない、
ことを特徴とする請求項２に記載の端末装置。
【請求項４】
上記表示制御手段は、上記判定手段により上記ユーザが所定の権限を有するユーザでないと判定された場合に、上記フラグが関連付けられている画像を上記複製指示の対象として選択できない態様で表示する、
ことを特徴とする請求項２に記載の端末装置。
【請求項５】
上記表示制御手段は、上記他のユーザの候補として１人以上のユーザを表示するユーザ選択画面を表示し、
上記指示受付手段は、上記ユーザ選択画面において表示されるユーザから上記他のユーザを選択する選択指示を受け付ける、
ことを特徴とする請求項２から４の何れか１項に記載の端末装置。
【請求項６】
上記表示制御手段は、上記他のユーザの候補となる上記１人以上のユーザのうち上記所定の権限を有するユーザをユーザ選択画面に表示する、
ことを特徴とする請求項５に記載の端末装置。
【請求項７】
写真シール作成装置において生成された複数の画像を、上記写真シール作成装置を利用するユーザ毎に管理する管理サーバであって、
制御手段と、
或るユーザの画像として管理している画像から当該或るユーザとは異なる他のユーザの画像として管理される複製画像を生成する画像複製手段と、を備え、
上記複数の画像のうち少なくとも一部の画像には、複製を制限するフラグが関連付けられており、
上記制御手段は、上記或るユーザの画像として管理している画像のうち、上記フラグが関連付けられている画像の複製を制限する、
ことを特徴とする管理サーバ。
【請求項８】
上記画像を端末装置に送信する送信手段を更に備え、
所定のアプリケーションを用いて表示するために送信する画像の解像度は、当該所定のアプリケーションを用いずに表示するために送信する画像の解像度よりも高い
ことを特徴とする請求項７に記載の管理サーバ。
【請求項９】
ユーザを撮影して画像を生成する画像生成手段と、
上記ユーザが所定の権限を有するユーザであるか否かを判定する判定手段と、
上記判定手段における判定結果に応じて、上記画像生成手段により生成された画像に対して、当該画像の複製を制限するフラグを関連付けるフラグ付加手段と、
上記画像及び当該画像に関連付けられているフラグを、上記画像を管理する管理サーバへ送信する送信手段と、を備えている、
ことを特徴とする写真シール作成装置。
【請求項１０】
上記画像をシートに印刷する印刷手段を更に備え、
上記印刷手段は、上記シートを特定するための特定情報を含む電子透かしを上記シートに印刷する、
ことを特徴とする請求項９に記載の写真シール作成装置。
【請求項１１】
写真シール作成装置において生成された複数の画像を上記写真シール作成装置を利用するユーザ毎に管理する管理サーバと、上記管理サーバにおいて管理されている画像を閲覧可能な端末装置と、を備える画像管理システムであって、
上記管理サーバは、
制御手段と、
或るユーザの画像として管理している画像から当該或るユーザとは異なる他のユーザの画像として管理される複製画像を生成する画像複製手段と、を備え、
上記端末装置は、
上記或るユーザの画像として管理されている画像を、当該或るユーザとは異なる他のユーザの管理する画像として複製する複製指示を受け付ける指示受付手段と、
上記複製指示の対象の候補となる画像を表示部に表示する表示制御手段と、を備え、
上記複数の画像のうち少なくとも一部の画像には、複製を制限するフラグが関連付けられており、
上記制御手段は、上記或るユーザの画像として管理している画像のうち、上記フラグが関連付けられている画像の複製を制限する、
ことを特徴とする画像管理システム。
【請求項１２】
写真シール作成装置において生成された複数の画像のうち、当該端末装置のユーザの画像として管理されている画像を表示する表示部を備える端末装置の画像複製制限方法であって、
上記ユーザの画像として管理されている画像を、当該ユーザとは異なる他のユーザの管理する画像として複製する複製指示を受け付ける指示受付ステップと、
上記複製指示の対象の候補となる画像を上記表示部に表示する表示制御ステップと、を含み、
上記複数の画像のうち少なくとも一部の画像には、複製を制限するフラグが関連付けられており、
上記指示受付ステップにおいて、上記ユーザの画像として管理している画像のうち上記フラグが関連付けられている画像に対する上記複製指示の受け付けを制限する、
ことを特徴とする画像複製制限方法。
【請求項１３】
請求項１から６のいずれか１項に記載の端末装置としてコンピュータを機能させるためのプログラムであって、コンピュータを上記各手段として機能させるためのプログラム。
【請求項１４】
請求項１３に記載のプログラムを記録したコンピュータ読み取り可能な記録媒体。
【発明の詳細な説明】
【技術分野】
【０００１】
本発明は、画像を管理する端末装置、管理サーバ、写真シール作成装置、並びに、そのような端末装置及び管理サーバを備える画像管理システム、端末装置の画像複製制限方法、端末装置としてコンピュータを動作させるためのプログラム、及び、記録媒体に関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。
【０００３】
例えば、下掲の特許文献１には、画像データの配信サービスを行うサーバ装置として、携帯端末から画像データのダウンロードの要求を受け付けた場合に、会員であるか非会員であるかに応じて画像データと共にポイントを付与するサーバ装置が記載されている。
【０００４】
しかし、このような技術では、ユーザが非会員であっても、写真シール作成装置において生成された画像をダウンロードできてしまう。
【先行技術文献】
【特許文献】
【０００５】
【特許文献１】特開２０１１-０７６４７３号公報
【発明の概要】
【発明が解決しようとする課題】
【０００６】
これに対し、近年ではさらに、サーバ装置に保存されている画像を閲覧するために会員の登録が必要な会員登録制システムにより、会員登録したユーザに対してのみ画像を提供するサービスが考えられてきている。
【０００７】
しかしながら、会員登録制システムであっても、会員登録しているユーザがダウンロードした画像を、例えばメールやＳＮＳ（Social Networking Service）などを利用して、会員登録していない他のユーザに転送することができてしまうという問題がある。
【０００８】
本発明は、上記の課題を解決するためになされたものであり、その主たる目的は、或るユーザの画像として管理されている画像からの、他のユーザの画像として管理される画像の複製を抑制することのできる端末装置を提供することにある。
【課題を解決するための手段】
【０００９】
本発明の一態様に係る端末装置は、上記の課題を解決するために、写真シール作成装置において生成された複数の画像のうち、当該端末装置のユーザの画像として管理されている画像を表示する表示部と、上記ユーザの画像として管理されている画像を、当該ユーザとは異なる他のユーザの管理する画像として複製する複製指示を受け付ける指示受付手段と、上記複製指示の対象の候補となる画像を上記表示部に表示する表示制御手段と、を備え、上記複数の画像のうち少なくとも一部の画像には、複製を制限するフラグが関連付けられており、上記指示受付手段は、上記ユーザの画像として管理している画像のうち上記フラグが関連付けられている画像に対する上記複製指示の受け付けを制限する、ことを特徴としている。
【００１０】
上記の構成によれば、上記指示受付手段は、上記フラグが関連付けられている画像に対する複製指示の受け付けを制限する。これにより、上記端末装置は、上記ユーザの画像として管理されている画像が、上記他のユーザの管理する画像として複製されてしまうことを抑制することができ、上記ユーザによるいわゆる画像の代行取得を抑制することができる。
【００１１】
本発明の一態様に係る端末装置において、上記ユーザが所定の権限を有するユーザであるか否かを判定する判定手段を更に備え、上記指示受付手段は、上記判定手段により上記ユーザが所定の権限を有するユーザでないと判定された場合に、上記フラグが関連付けられている画像に対する上記複製指示の受け付けを制限する、ことが好ましい。
【００１２】
上記の構成によれば、上記指示受付手段は、上記ユーザが所定の権限を有さない場合に、上記フラグが関連付けられている画像に対する複製指示の受け付けを制限する。所定の権限を有するユーザとは例えば有料会員であり、所定の権限を有さないユーザとは例えば無料会員である。これにより、上記端末装置は、上記ユーザの画像として管理されている画像からの、上記他のユーザの管理する画像の複製を、ユーザの権限に応じて制限することができる。
【００１３】
本発明の一態様に係る端末装置において、上記表示制御手段は、上記判定手段により上記ユーザが所定の権限を有するユーザでないと判定された場合に、上記フラグが関連付けられている画像を表示しない、ことが好ましい。
【００１４】
上記の構成によれば、上記表示制御手段は、上記ユーザが所定の権限を有さない場合に、上記複製指示の対象の候補となる画像として、上記フラグが関連付けられている画像を表示しない。これによって、上記端末装置は、上記フラグが関連付けられている画像の、上記複製指示の対象の候補となる画像としての表示を、ユーザの権限に応じて制限することができる。
【００１５】
本発明の一態様に係る端末装置において、上記表示制御手段は、上記判定手段により上記ユーザが所定の権限を有するユーザでないと判定された場合に、上記フラグが関連付けられている画像を上記複製指示の対象として選択できない態様で表示する、ことが好
上記の構成によれば、上記表示制御手段は、上記ユーザが所定の権限を有さない場合に、上記複製指示の対象の候補となる画像として選択できない態様で、上記フラグが関連付けられている画像を表示する。これによって、上記端末装置は、ユーザに上記複製指示の対象として画像を選択させる際に、上記フラグが関連付けられている画像を選択可能に表示するかを、ユーザの権限に応じて制限することができる。
【００１６】
本発明の一態様に係る端末装置において、上記表示制御手段は、上記他のユーザの候補として１人以上のユーザを表示するユーザ選択画面を表示し、上記指示受付手段は、上記ユーザ選択画面において表示されるユーザから上記他のユーザを選択する選択指示を受け付ける、ことが好ましい。
【００１７】
上記の構成によれば、上記表示制御手段は、上記ユーザ選択画面を表示し、上記指示受付手段は、ユーザ選択画面に表示されたユーザに対する選択指示を受け付ける。換言すれば、上記指示受付手段は、上記ユーザ選択画面に表示されているユーザ以外のユーザに対する選択指示を受け付けない。従って、上記端末装置は、不特定のユーザの管理する画像として上記フラグが関連付けられている画像が複製されてしまうことを防ぐことができる。
【００１８】
本発明の一態様に係る端末装置において、上記表示制御手段は、上記他のユーザの候補となる上記１人以上のユーザのうち上記所定の権限を有するユーザをユーザ選択画面に表示する、ことが好ましい。
【００１９】
上記の構成によれば、上記表示制御手段は、上記所定の権限を有するユーザを上記他のユーザの候補として表示する。つまり、上記指示受付手段は、上記他のユーザとして上記所定の権限を有するユーザ以外のユーザを選択する操作を受け付けない。このため、上記端末装置は、上記複製指示を行うユーザが上記所定の権限を有し、かつ、上記他のユーザとなるユーザが上記所定の権限を有している場合にのみ、上記フラグが関連付けられている画像を複製する。
【００２０】
したがって、上記端末装置は、上記複製指示を行うユーザ及び上記他のユーザのすくなくとも何れかが上記所定の権限を有していない場合に、上記フラグが関連付けられている画像が上記他のユーザの管理する画像として複製されてしまうことを防ぐことができる。換言すれば、上記端末装置は、上記複製指示を行うユーザ及び上記他のユーザの双方が上記所定の権限を有している場合に限って、上記フラグが関連付けられている画像の複製を許容することができるため、上記所定の権限を有するユーザと有さないユーザとに対して、異なるサービスを提供することができる。
【００２１】
本発明の一態様に係る管理サーバは、上記の課題を解決するために、写真シール作成装置において生成された複数の画像を、上記写真シール作成装置を利用するユーザ毎に管理する管理サーバであって、制御手段と、或るユーザの画像として管理している画像から当該或るユーザとは異なる他のユーザの画像として管理される複製画像を生成する画像複製手段と、を備え、上記複数の画像のうち少なくとも一部の画像には、複製を制限するフラグが関連付けられており、上記制御手段は、上記或るユーザの画像として管理している画像のうち、上記フラグが関連付けられている画像の複製を制限する、ことを特徴としている。
【００２２】
上記の構成によれば、上記管理サーバは、上述の端末装置と同様の効果を奏する。
【００２３】
本発明の一態様に係る管理サーバは、上記画像を端末装置に送信する送信手段を更に備え、所定のアプリケーションを用いて表示するために送信する画像の解像度は、当該所定のアプリケーションを用いずに表示するために送信する画像の解像度よりも高い、ことが好ましい。
【００２４】
上記の構成によれば、上記端末装置のユーザは、上記所定のアプリケーションを用いて上記画像を閲覧する場合に、上記所定のアプリケーションを用いずに上記画像を閲覧する場合よりも、より快適に画像を閲覧することができる。
【００２５】
本発明の一態様に係る写真シール作成装置は、上記の課題を解決するために、ユーザを撮影して画像を生成する画像生成手段と、上記画像生成手段により生成された画像に対して、当該画像の複製を制限するフラグを関連付けるフラグ付加手段と、上記画像及び当該画像に関連付けられているフラグを、上記画像を管理する管理サーバへ送信する送信手段と、を備えている、ことを特徴としている。
【００２６】
上記の構成によれば、上記写真シール作成装置は、上述の端末装置と同様の効果を奏する。
【００２７】
本発明の一態様に係る写真シール作成装置は、上記画像をシートに印刷する印刷手段を更に備え、上記印刷手段は、上記シートを特定するための特定情報を含む電子透かしを上記シートに印刷する、ことが好ましい。
【００２８】
上記の構成によれば、上記写真シール作成装置は、電子透かしにおけるコードを印刷するためのスペースを要することなく、また、画像の印刷されたシール紙の見栄えを保ちつつ、画像を取得するためにユーザが容易に管理サーバにアクセスすることのできるコードを、シートに印刷することができる。
【００２９】
本発明の一態様に係る画像管理システムは、上記の課題を解決するために、写真シール作成装置において生成された複数の画像を上記写真シール作成装置を利用するユーザ毎に管理する管理サーバと、上記管理サーバにおいて管理されている画像を閲覧可能な端末装置と、を備える画像管理システムであって、上記管理サーバは、制御手段と、或るユーザの画像として管理している画像から当該或るユーザとは異なる他のユーザの画像として管理される複製画像を生成する画像複製手段と、を備え、上記端末装置は、上記或るユーザの画像として管理されている画像を、当該或るユーザとは異なる他のユーザの管理する画像として複製する複製指示を受け付ける指示受付手段と、上記複製指示の対象の候補となる画像を表示部に表示する表示制御手段と、を備え、上記複数の画像のうち少なくとも一部の画像には、複製を制限するフラグが関連付けられており、上記制御手段は、上記或るユーザの画像として管理している画像のうち、上記フラグが関連付けられている画像の複製を制限する、ことを特徴としている。
【００３０】
上記の構成によれば、上記画像管理システムは、上述の端末装置と同様の効果を奏する。
【００３１】
本発明の一態様に係る画像複製制限方法は、上記の課題を解決するために、写真シール作成装置において生成された複数の画像のうち、当該端末装置のユーザの画像として管理されている画像を表示する表示部を備える端末装置の画像複製制限方法であって、上記ユーザの画像として管理されている画像を、当該ユーザとは異なる他のユーザの管理する画像として複製する複製指示を受け付ける指示受付ステップと、上記複製指示の対象の候補となる画像を上記表示部に表示する表示制御ステップと、を含み、
上記複数の画像のうち少なくとも一部の画像には、複製を制限するフラグが関連付けられており、上記指示受付ステップにおいて、上記ユーザの画像として管理している画像のうち上記フラグが関連付けられている画像に対する上記複製指示の受け付けを制限する、ことを特徴としている。
【００３２】
上記の構成によれば、上記画像複製制限方法は、上述の端末装置と同様の効果を奏する。
【００３３】
本発明の各態様に係る端末装置は、コンピュータによって実現してもよく、この場合には、コンピュータを上記端末装置が備える各手段として動作させることによって上記端末装置をコンピュータにて実現させる端末装置のプログラム、およびそれを記録したコンピュータ読み取り可能な記録媒体も、本発明の範疇に入る。
【発明の効果】
【００３４】
本発明に係る端末装置は、或るユーザの画像として管理されている画像からの、他のユーザの画像として管理される画像の複製を抑制することができるという効果を奏する。
【図面の簡単な説明】
【００３５】
＜共通部分  青字＞
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る撮影画像管理システムにおける、アカウント間での画像共有処理に関する一連の流れを示すシーケンス図である。
【図１９】本発明の第１実施形態に係る携帯端末における画像共有処理に関する一連の流れを示すフローチャートである。
【発明を実施するための形態】
【００３６】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３７】
（撮影画像管理システム１０）
図２は、本発明の第１実施形態に係る撮影画像管理システム１０の構成を示す図である。図２に示すように、撮影画像管理システム１０は、写真シール作成装置１、携帯端末６、および管理サーバ４を備えている。
【００３８】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３９】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４０】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４１】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４２】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４３】
画像提供サイトへの画像保存後、ユーザは、携帯端末６または所望の他の装置を用いて画像提供サイトにログインして、画像をダウンロードすることができる。
【００４４】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５４】
図３に示す編集部１２の構成を正面側の構成とすると、２組のユーザが同時に編集することができるように、編集部１２の正面側と背面側には編集制御に用いられる構成がそれぞれ設けられる。
【００５５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６０】
（ユーザの移動）
写真シール作成ゲームの流れと、それに伴うユーザの移動について図５を参照して説明する。図５は、ユーザの移動について説明する図である。
【００６１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６２】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６６】
画像の印刷が終了したとき、ユーザは、事後接客部１３に設けられた排出口からシール紙を受け取り、一連の写真シール作成ゲームを終えることになる。
【００６７】
（各部材の構成）
次に、写真シール作成装置１に備えられる各部材の構成について説明する。
【００６８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７０】
正面パネル４１のほぼ中央には撮影・表示ユニット８１が設けられる。撮影・表示ユニット８１は、カメラ９１、正面ストロボ９２、およびタッチパネルモニタ９３から構成される。
【００７１】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７４】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７５】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７６】
足元ストロボ８６の右側には、ユーザがお金を投入する硬貨投入返却口８７が設けられる。
【００７７】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７８】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７９】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８０】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８２】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８３】
（事後接客部１３）
編集部１２の左側には事後接客部１３が設けられる。図９は、写真シール作成装置１に備えられる事後接客部１３の構成例を示す図である。
【００８４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８６】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８７】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８８】
スピーカ１６５は、事後接客時の案内音声、ＢＧＭ、効果音等の音を出力する。
【００８９】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９０】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９１】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９２】
通信部２０３はインターネットなどのネットワークのインタフェースであり、制御部２０１による制御に従って外部の装置と通信を行う。
【００９３】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９４】
ＲＯＭ２０６には、制御部２０１において実行されるプログラムおよびデータが記憶されている。ＲＡＭ２０７は、制御部２０１が処理するデータおよびプログラムを一時的に記憶する。
【００９５】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９７】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９９】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１００】
カメラ９１は、制御部２０１による制御に従って撮影を行い、撮影によって得られた画像（画像）を制御部２０１に出力する。
【０１０１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０５】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０７】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０８】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１０９】
通信制御部３１１は、通信部２０３による外部の装置との通信を制御する。
【０１１０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１１】
編集制御部３１３は、編集部１２Ａおよび編集部１２Ｂによる画像に対する落書き編集等、写真シール作成ゲームにおけるユーザの編集制御に関する処理を制御する。
【０１１２】
印刷制御部３１４は、印刷部２１１によるシール紙の印刷等、写真シール作成ゲームにおけるユーザの印刷制御に関する処理を制御する。
【０１１３】
事後接客制御部３１５は、事後接客部１３による、編集作業を終了したユーザグループを接客する処理等、写真シール作成ゲームにおける事後接客に関する処理を制御する。
【０１１４】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１５】
（制御部４０１の詳細）
図１に示すように、制御部４０１は、通信制御部４１１、メール作成部４１２、ウェブページ作成部４１３、および画像管理部４１４を備えている。
【０１１６】
（通信制御部４１１）
通信制御部４１１は、通信部４０３による通信を制御する。
【０１１７】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１８】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１１９】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２０】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２１】
（記憶部４０２の詳細）
図１に示すように、記憶部４０２は、メールデータベース４２１、会員データベース４２２、ウェブページデータベース４２３、および画像データベース４２４を有している。
【０１２２】
（メールデータベース４２１）
メールデータベース４２１は、ユーザに送信するメールを作成するための各種データを格納している。
【０１２３】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１２４】
（ウェブページデータベース４２３）
ウェブページデータベース４２３は、携帯端末６に表示される画像提供サイトのウェブページを作成するための各種データを格納している。
【０１２５】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１２６】
図示はしないが、記憶部４０２は、写真シール作成装置１から受信した画像などのデータを一時的に保存する一時保存データベースも有している。
【０１２７】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２８】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１２９】
（制御部６０１の詳細）
図１２に示すように、制御部６０１は、通信制御部６１１、入力制御部６１２、および表示制御部６１３を備えている。
【０１３０】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３１】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１３２】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３３】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３４】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１３５】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１３６】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１３７】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１３８】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１３９】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１４０】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４１】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１４２】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４３】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１４４】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１４５】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１４６】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１４７】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１４８】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１４９】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１５０】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１５１】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１５２】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１５３】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１５４】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１５５】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１５６】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１５７】
図１５（ｃ）に示すように、ウェブページ１１０７は、一つのサムネイル画像１１０４、および、全ての画像を保存するためのリンク画像１１０８を含んでいる。
【０１５８】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１５９】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１６０】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１６１】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１６２】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１６３】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１６４】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１６５】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１６６】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１６７】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１６８】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１６９】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１７０】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１７１】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１７２】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１７３】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１７４】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１７５】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１７６】
携帯端末６の通信制御部６１１は、通信部６０３を通じて、送信された画像を受信し、記憶部６０２に保存する（ステップＳ３２）。以上により、携帯端末６への画像保存処理が完了する。
【０１７７】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１７８】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１７９】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１８０】
（画像の共有と制限）
以下に、撮影画像管理システム１０（画像管理システム）における、写真シール作成装置１において生成された画像（編集済の画像を含む）の共有とその制限について説明する。なお、本明細書において、「共有」とは、写真シール作成装置１を利用して或る画像を撮影した或るユーザが、当該或るユーザ以外の他のユーザ（友達）との間で、当該或る画像を共有することをいう。
【０１８１】
友達との間で或る画像を共有する方法としては、例えば、（１）管理サーバ４における或るユーザのアカウント領域に保存されている画像を、友達のアカウント領域にも複製して保存する方法、（２）或るユーザのアカウント領域に保存されている画像を、友達のアカウントからも閲覧可能にする方法、（３）或るユーザのアカウント領域に保存されている画像を、友達の携帯端末６（端末装置）に転送する方法、（４）或るユーザの携帯端末６に保存されている画像を、友達の携帯端末６に転送する方法、などを挙げることができる。
【０１８２】
また、写真シール作成装置１において生成された画像は管理サーバ４の画像データベース４２４に格納されており、携帯端末６により単に管理サーバ４にアクセスしただけでは閲覧できないように暗号化されている構成としてもよい。この場合、携帯端末６において画像を閲覧するためのアプリケーション（以降、画像閲覧用アプリケーションとも記載）を実行した上で管理サーバ４にアクセスし、暗号化されている画像を画像閲覧用アプリケーションの画像閲覧機能により復号することによって、写真シール作成装置１において生成された画像を携帯端末６を利用して閲覧することが可能となる。
【０１８３】
上述したような、携帯端末６から管理サーバ４にアクセスして写真シール作成装置１において生成された画像を保存する処理、及び、管理サーバ４に保存されている画像を携帯端末６に保存する処理なども、画像閲覧用アプリケーションを実行することで実現可能となる。
【０１８４】
（写真シール作成装置）
上述のように、撮影制御部３１２及び編集制御部３１３は、画像を生成する画像生成手段として機能する。また、写真シール作成装置１の制御部２０１は、生成した各画像に対して、画像の複製を制限するフラグ（以降、複製制限フラグとも記載する）を関連付けるフラグ付加手段としても機能する。そして通信制御部３１１（通信手段）は、画像及び複製制限フラグを、通信部２０３を介して管理サーバ４に送信する。複製制限フラグは、当該複製制限フラグが関連付けられた画像の共有を完全に禁止するものではなく、共有を指示するユーザの会員属性（有料会員、無料会員）に応じて共有の可否を判定するために用いられてもよい。例えば、ユーザが有料会員である場合に、当該ユーザが所定の権限を有するユーザであると判定し、複製制限フラグが関連づけられている画像の複製を許容すればよい（つまり、無料会員の場合には画像の複製を許容しない）。
【０１８５】
また、写真シール作成装置１は、例えば事後接客部１３における事後接客処理などにおいて、ユーザに対してメールアドレス及び会員ＩＤなどの会員情報の入力を促してもよい。この場合には、制御部２０１は、管理サーバが保管する有料会員、無料会員を判定するための情報をＲＡＭ２０７などに一時的に保存しておき、入力された会員情報に基づいてユーザの会員属性を判定する。さらに、制御部２０１は、会員属性の判定を行った場合に画像に対する複製制限フラグの付加を行い、会員属性の判定を行わない場合に画像に対する複製制限フラグの付加を行わない構成としてもよい。なお、会員情報の入力は、例えば、撮影部２１及び編集部１２などにおいて受け付けてもよいし、特に限定されない。また、制御部２０１は、会員ＩＤの入力を受け付けず、すべてのユーザが無料会員であると仮定して、複製制限フラグの付加を行ってもよい。
【０１８６】
さらに、制御部２０１は、会員属性の判定結果に応じて、画像に対して複製制限フラグを付加する構成としてもよい。例えば、有料会員であると判定した場合にのみ複製制限フラグを付加することにより、有料会員の画像の複製を制限できるため、有料会員が意図していないにも関わらず画像が複製されてしまうことを防ぐことができる。また、無料会員であると判定した場合にのみ複製制限フラグを付加することにより、無料会員の画像の複製を制限する一方で有料会員の画像の複製を許容できるため、有料会員に対して無料会員よりも柔軟なサービスを提供することができる。なお、制御部２０１において付加される複製制限フラグは、管理サーバ４において修正可能であってもよい。この場合には、例えば、ユーザが画像取得サイトから画像を取得する際に、管理サーバ４の会員データベース４２２を参照してユーザの会員属性を判定し、判定結果に応じて複製制限フラグを修正すればよい。
【０１８７】
（管理サーバ）
管理サーバ４の通信制御部４１１は、写真シール作成装置１から、通信部４０３を通じて、画像及び画像に関連付けられた複製制限フラグを受信し、受信した画像及び複製制限フラグを画像管理部４１４に供給する。
【０１８８】
画像管理部４１４は、写真シール作成装置１から受信した画像を暗号化し、暗号化した画像に複製制限フラグを関連づけて、画像データベース４２４に格納する。ここでは画像管理部４１４において画像を暗号化する構成を例に挙げて説明するが、写真シール作成装置１において予め暗号化された画像を取得する構成であってもよい。なお、画像を示す画像データ及び複製制限フラグは分離した別箇のデータであってもよいが、もちろん、複製制限フラグが画像を示す画像データのヘッダ（具体的には、画像の形式に応じた文字情報を保持するヘッダ部）に含まれていても良い。
【０１８９】
なお、画像管理部４１４は、画像ごとに管理される所定の画像管理情報を、各画像を示す画像データと共に管理テーブルに保存していてもよい。この場合には、画像管理部４１４は、写真シール作成装置１から取得した複製制限フラグを所定の画像管理情報に記載した上で、画像データと共に管理テーブルに保存すればよい。
【０１９０】
また、画像管理部４１４は、画像閲覧用アプリケーションを実行することにより管理サーバ４の画像提供サイトにアクセスする携帯端末６に対し、画像データベース４２４における携帯端末６のユーザ専用のアカウント領域に保存されている画像を閲覧するためのデータを提供する。携帯端末６は、このデータに基づき暗号化された画像を復号することにより、画像を閲覧可能に表示することができる。
【０１９１】
さらに、画像管理部４１４、携帯端末６から、画像の共有を要求する旨の通知を受け付けた場合、当該通知において指定されている共有の相手となる他のユーザ（友達）のアカウント領域に、共有の対象となる画像（共有対象画像）を複製することにより、画像の共有を実現する。換言すれば、画像管理部４１４は、携帯端末６のユーザの画像として管理されている画像から、他のユーザの画像として管理される画像（複製画像）を生成する画像複製手段としても機能する。
【０１９２】
ここで、制御部４０１は、携帯端末６から、画像の共有を要求する旨の通知を受け付けた場合、携帯端末６のユーザの会員属性から有料会員であるか否かを判定する。制御部４０１において有料会員であると判定された場合には、ウェブページ作成部４１３は、ユーザのアカウント領域に保存されている画像（複製制限フラグが関連付けられている画像を含む）の一覧を含む画像一覧ページを生成する。
【０１９３】
一方、制御部４０１において無料会員であると判定された場合には、ウェブページ作成部４１３は、ユーザのアカウント領域に保存されている画像のうち、複製制限フラグが関連付けられていない画像のみを含む画像一覧ページを生成する。また、この場合には、ウェブページ作成部４１３は、複製制限フラグが関連付けられていない画像を選択可能に表示し、複製制限フラグが関連付けられている画像を選択不能に表示する画像一覧ページを生成してもよい。換言すれば、制御部４０１は、携帯端末６のユーザの画像として管理されている画像のうち、複製制限フラグが関連付けられている画像の複製を、携帯端末６のユーザが無料会員である場合に制限する制御手段としても機能する。
【０１９４】
なお、ここではウェブページ作成部４１３がユーザの会員属性に応じた画像一覧ページを生成する構成を例に説明するが、これに限定されるものではない。例えば、通信制御部４１１がユーザの会員情報に応じて画像データベース４２４に保存されている画像を携帯端末６に送信する（有料会員である場合に限って複製制限フラグが関連付けられた画像を送信するなど）構成であってもよい。また、通信制御部４１１がユーザの会員情報に関わらずに全ての画像を携帯端末６に送信してもよい。
【０１９５】
さらに、写真シール作成装置１から取得した画像に複製制限フラグが付加されていない場合には、制御部４０１は、取得した画像に対して複製制限フラグを付加するフラグ付加手段として機能してもよい。この場合には、制御部４０１は、会員属性の判定を行った場合に画像に対する複製制限フラグの付加を行い、会員属性の判定を行わない場合に画像に対する複製制限フラグの付加を行わない構成としてもよい。制御部４０１は、複製制限フラグを付加した後、写真シール作成装置１から取得した画像を画像データベース４２４に保存する。
【０１９６】
また、制御部４０１は、会員属性の判定結果に応じて、画像に対して複製制限フラグを付加することもできる。例えば、有料会員であると判定した場合にのみ複製制限フラグを付加することにより、有料会員の画像の複製を制限できるため、有料会員が意図していないにも関わらず画像が複製されてしまうことを防ぐことができる。また、無料会員であると判定した場合にのみ複製制限フラグを付加することにより、無料会員の画像の複製を制限する一方で有料会員の画像の複製を許容できるため、有料会員に対して無料会員よりも柔軟なサービスを提供することができる。
【０１９７】
なお、制御部４０１は、写真シール作成装置１から画像を取得した際に、写真シール作成装置１の例えば事後接客部１３などにおいてユーザから入力を受け付けたメールアドレスや会員ＩＤなどの会員情報を併せて取得すればよい。これにより、制御部４０１は、画像と共に取得した会員情報から、ユーザの会員属性を判定することができる。
【０１９８】
また、制御部４０１は、メールアドレスと会員ＩＤとが関連付けられている場合には、メールアドレスによりユーザの会員属性を判定してもよい。さらに、制御部４０１は、写真シール作成装置１に対してユーザの会員属性を判定するための情報を定期的に送信することにより、写真シール作成装置１における会員属性の判定のたびに写真シール作成装置１から管理サーバ４に通信する必要がないようにしてもよい。
【０１９９】
（携帯端末）
携帯端末６の入力制御部６１２は、ユーザが入力部６０４を操作することにより行う画像閲覧用アプリケーションの実行指示を受け付ける。そして、入力制御部６１２において画像閲覧用アプリケーションの実行指示を受け付けると、制御部６０１は、画像閲覧用アプリケーションを実行する。
【０２００】
通信制御部６１１は、制御部６０１において画像閲覧用アプリケーションが実行されると、通信部６０３を通じて管理サーバの提供する画像提供サイトにアクセスする。
【０２０１】
表示制御部６１３は、管理サーバ４の画像データベース４２４における当該携帯端末６のユーザ専用のアカウント領域に保存されている画像を、閲覧可能に表示部６０５に表示する。
【０２０２】
また、図１６に示す処理によって記憶部６０２に保存されている画像は、管理サーバ４に保存されている画像と同様に、暗号化が施されている。このため、記憶部６０２に保存されている画像を閲覧する場合には、管理サーバ４に保存されている画像を閲覧する場合と同様に、画像閲覧用アプリケーションを実行する必要がある。なお、画像閲覧用アプリケーションは、暗号化された画像データを複合するキーを参照し、保持できるアプリケーション（換言すれば、所定の携帯端末で稼働する所定のプログラム）であることが好ましい。
【０２０３】
入力制御部６１２（指示受付手段）は、入力部６０４を通じて、当該携帯端末６のユーザの画像として管理されている画像を、他のユーザの管理する画像として複製する複製指示を受け付ける。また、表示制御部６１３（表示制御手段）は、管理サーバ４のユーザのアカウント領域に保存されている画像、及び、記憶部６０２に保存されている画像の少なくとも何れかを、複製指示の対象の候補となる画像を表示部６０５に表示する。
【０２０４】
このとき、制御部６０１において有料会員であると判定された場合には、表示制御部６１３は、記憶部６０２に保存されている画像（複製制限フラグが関連付けられている画像を含む）を表示部６０５に一覧表示すればよい。一方、制御部６０１において無料会員であると判定された場合には、表示制御部６１３は、記憶部６０２に保存されている画像のうち、複製制限フラグが関連付けられていない画像のみを表示部６０５に一覧表示する。また、この場合には、表示制御部６１３は、表示部６０５に、複製制限フラグが関連付けられていない画像を選択可能に一覧表示すると共に、複製制限フラグが関連付けられている画像を選択不能に一覧表示してもよい。この場合には、制御部６０１は、当該携帯端末６のユーザの会員属性から有料会員であるか否かを判定する判定手段としても機能する。
【０２０５】
（アカウント間での画像共有処理）
次に、管理サーバ４の画像データベース４２４の或るユーザのアカウント領域に保存されている画像のうち複製制限フラグが関連付けられている画像を、他のユーザのアカウントにも保存することにより画像を共有する際の処理（アカウント間での画像共有処理）の流れについて、図１８を参照して説明する。図１８は、撮影画像管理システム１０における、アカウント間での画像共有処理に関する一連の流れを示すシーケンス図である。
【０２０６】
なお、以下の画像共有処理は、携帯端末６の制御部６０１において画像閲覧用アプリケーションが実行され、画像閲覧用アプリケーションの画像共有機能が利用されることにより行われる。
【０２０７】
携帯端末６は、画像閲覧用アプリケーションを実行すると、入力部６０４をユーザが操作することにより行われる、管理サーバ４が提供する画像提供サイトにアクセスする旨の指示を受け付け、画像提供サイトにアクセスするためのログイン要求を管理サーバ４に送信する（ステップＳ１０１）。管理サーバ４は、携帯端末６から画像提供サイトにアクセスするためのログイン要求を受け付けると（ステップＳ１０２）、ログイン要求と共に受け付けた会員ＩＤ及びパスワードなどから、ユーザの会員属性を判定する。ユーザの会員属性とは、有料会員および無料会員などである。そして、管理サーバ４は、判定結果に応じた会員トップページを送信し（ステップＳ１０３）、携帯端末６は、表示部６０５に会員トップページを表示する（ステップＳ１０４）
そして、会員トップページに表示される保存ボックス（図１７（ｂ）に示すリンク画像１０３２）を選択するユーザ操作を受け付けると（ステップＳ１０５）、通信制御部６１１は、画像提供サイトに保存されているユーザの画像の一覧を含むウェブページの提供を求めるリクエストを、通信部６０３を通じて管理サーバ４に送信する（ステップＳ１０６）。
【０２０８】
なお、図１８に示すステップＳ１０１〜Ｓ１０８の主たる処理は、図１６に示すステップＳ２１〜Ｓ２８の処理と同様であるため、ここではその詳細な説明は省略する。ステップＳ１０１〜Ｓ１０８の処理が実行されることにより、携帯端末６の表示部６０５には、画像データベース４２４におけるユーザのアカウント領域に格納されている画像（複製制限フラグが関連づけられている画像を含む）に対応するサムネイル画像が、一覧表示されることになる（ステップＳ１０８）。
【０２０９】
ここで、ログインしているユーザが有料会員である場合には、一覧表示されるサムネイル画像は、対応する画像に複製制限フラグが関連付けられている場合であっても、対応する画像が共有可能に（つまり、共有の対象として選択可能に）一覧表示される。一方で、ログインしているユーザが無料会員である場合には、一覧表示されているサムネイル画像は、対応する画像に複製制限フラグが関連付けられている場合、閲覧専用としての画像として（つまり、共有の対象として選択不能に）一覧表示されればよい。以降では、ログインしているユーザ（携帯端末６のユーザ）が有料会員である場合について説明する。
【０２１０】
携帯端末６の表示部６０５に画像一覧ページが表示されると、ユーザは、入力部６０４を操作することによって、表示中の画像一覧ページに含まれるサムネイル画像のうち、他のユーザと共有することを希望する共有対象画像を選択する（ステップＳ１０９）。通信制御部６１１は、入力制御部６１２において入力部６０４を通じて受け付けたユーザの選択操作に従い、選択されたサムネイル画像に対応する画像の共有を要求する旨の通知（共有画像リクエスト）を、通信部６０３を通じて管理サーバ４に送信する。
【０２１１】
管理サーバ４の通信制御部４１１は、送信された共有画像リクエストを、通信部４０３を通じて受け付ける（ステップＳ１１０）。通信制御部４１１において共有画像リクエストを受け付けると、次に、共有する相手となる友達のアカウントをユーザに選択させるために友達のアカウントの一覧を含む友達アカウント一覧ページを生成する。
【０２１２】
このとき、ウェブページ作成部４１３は、友達アカウント一覧ページの生成に際して、会員データベース４２２及びウェブページデータベース４２３から取得すればよい。また、ウェブページ作成部４１３は、取得したデータを参照することにより友達アカウント一覧ページを生成し、通信制御部４１１に出力する。友達アカウント一覧ページには、例えば、ユーザの友達として登録されているアカウント名が一覧表示されていてもよいし、アカウント画像が一覧表示されていてもよい。通信制御部４１１は、通信部４０３を通じて友達アカウント一覧ページを携帯端末６に送信する（ステップＳ１１１）。
【０２１３】
携帯端末６の通信制御部６１１は、通信部６０３を通じて友達アカウント一覧ページを受信し、受信した友達アカウント一覧ページを表示制御部６１３に供給する。表示制御部６１３は、友達アカウント一覧ページ（ユーザ選択画面）を表示部６０５に出力し、表示部６０５に友達アカウント一覧ページを表示する（ステップＳ１１２）。
【０２１４】
友達アカウント一覧ページが表示されると、ユーザは、入力部６０４を操作することによって、表示中の友達アカウント一覧ページに含まれるアカウント名（又はアカウント画像）のうち、画像の共有を希望する対象となる友達のアカウント（共有先アカウント）を選択する（ステップＳ１１３）。入力制御部６１２は、ユーザ操作により共有先アカウントが選択されたことを通信制御部６１１に通知し、通信制御部６１１は、通知された共有先アカウントに対応する画像の共有を求める共有先リクエストを、通信部６０３を通じて管理サーバ４に送信する。
【０２１５】
管理サーバ４の通信制御部４１１は、送信された共有先リクエストを、通信部４０３を通じて受け付ける（ステップＳ１１４）。通信制御部４１１は、受信した共有先リクエスト及びステップＳ１１０において受信した共有画像リクエストを、画像管理部４１４へ通知する。画像管理部４１４は、取得した共有先リクエストにおいて指定されている共有先アカウントのアカウント領域に、共有画像リクエストにおいて指定されている共有対象画像を保存する（ステップＳ１１５）。画像の共有が完了すると、通信制御部４１１は、ウェブページ作成部４１３において生成される画像の共有が完了した旨を示すページ（共有完了ページ）を、通信部４０３を通じて携帯端末６に送信する。
【０２１６】
携帯端末６の通信制御部６１１は、通信部６０３を通じて共有完了ページを受信すると、受信した共有完了ページを表示制御部６１３に供給し、表示制御部６１３は、共有完了ページを表示部６０５に出力する。これにより、表示部６０５に共有完了ページが表示され（ステップＳ１１６）、アカウント間での画像共有処理が終了する。
【０２１７】
なお、ログインしているユーザが無料会員である場合に、ステップＳ１０８において複製制限フラグが関連付けられている画像が共有対象として選択不能に一覧表示される構成を例に挙げて説明したが、これに限定されるものではない。例えば、複製制限フラグが関連付けられている画像が表示されないようにしてもよいし、他のユーザとの画像の共有に対応していない旨を示すページを携帯端末６の表示部６０５に表示してもよい。また、当該ページに、有料会員への登録を促す表示を含めてもよい。これにより、無料会員であるユーザに対して、有料会員への登録を効果的に促すことができる。
【０２１８】
また、ログインしているユーザが無料会員であっても、ステップＳ１０８において複製制限フラグが関連付けられている画像が共有対象として選択可能に表示してもよい。この場合には、管理サーバ４の制御部４０１が共有対象として選択された画像に複製制限フラグが関連付けられているかを判定し、複製制限フラグが関連付けられている画像については画像管理部４１４における複製を制限すればよい。さらに、携帯端末６の表示部６０５に、他のユーザとの画像の共有に対応していない旨を示すページなどを表示させるようにしてもよい。
【０２１９】
なお、共有を希望するユーザが有料会員である場合に、任意の友達のアカウントに対して共有対象画像を保存することにより画像共有を行う場合を例に挙げて説明したが、これに限定されるものではない。例えば、ステップＳ１１１において送信される友達アカウント一覧ページに含まれるアカウントとして、有料会員である友達のアカウントのみを含むようにしてもよい。この場合には、制御部４０１は、アカウント領域に含まれるユーザの属性を示す情報を参照することにより、一覧表示の対象となる友達が有料会員であるか無料会員であるかを判定すればよい。そして、ウェブページ作成部４１３は、制御部４０１により有料会員であると判定された友達のアカウントのみを友達アカウント一覧ページに一覧表示すればよい。これにより、管理サーバ４は、有料会員同士に対してのみ画像の共有を許可することができる。
【０２２０】
（携帯端末間での画像の共有）
次に、携帯端末６に保存されている画像のうち複製制限フラグが関連付けられている画像を他のユーザの携帯端末に送信することにより画像を共有する際の処理（携帯端末間での画像共有処理）の流れについて、図１９を参照して説明する。図１９は、携帯端末６における画像共有処理に関する一連の流れを示すフローチャートである。なお、携帯端末６は、制御部６０１において画像閲覧用アプリケーションの画像共有機能を実行することにより、画像共有処理を実行する。
【０２２１】
携帯端末６のユーザは、入力部６０４を操作することにより、画像閲覧用アプリケーションの実行を指示する。制御部６０１は、入力制御部６１２において入力部６０４を通じて画像閲覧用アプリケーションを実行する旨のユーザ指示を受け付けると、図１９に示すように、画像閲覧用アプリケーションを実行する（ステップＳ１２１）。
【０２２２】
画像閲覧用アプリケーションを実行すると、制御部６０１は、まず、当該携帯端末６のユーザの会員属性を取得する（ステップＳ１２２）。このとき、制御部６０１は、例えば、画像閲覧用アプリケーションの機能により記憶部６０２に格納されている会員属性を取得してもよいし、管理サーバ４の会員データベースに登録されている会員属性を取得してもよい。
【０２２３】
会員情報を取得すると、制御部６０１は、取得した会員情報から、ユーザが有料会員であるか否かを判定する（ステップＳ１２３）。ユーザが有料会員であると判定した場合（ステップＳ１２３においてＹＥＳ）、制御部６０１は、記憶部６０２に保存されている画像（複製制限フラグが関連付けられている画像を含む）を個別に表す、複数のサムネイル画像を一覧表示した保存画像一覧を生成する。制御部６０１は、生成した保存画像一覧を表示制御部６１３に供給し、表示制御部６１３は取得した保存画像一覧を表示部６０５に出力する。これにより、表示部６０５に、保存画像が一覧表示される（ステップＳ１２４）。
【０２２４】
表示部６０５に保存画像一覧が表示されると、ユーザは、入力部６０４を操作することによって、表示中の保存画像一覧に含まれるサムネイル画像から共有対象画像を選択する。これにより、入力制御部６１２は、ユーザによる共有対象画像の選択操作を受け付ける（ステップＳ１２５）。
【０２２５】
入力制御部６１２において共有対象画像の選択操作を受け付けると、制御部６０１は、次に、共有対象画像を共有する相手となる友達をユーザに選択させるための友達一覧を生成する。制御部６０１は、生成した友達一覧を表示制御部６１３に供給し、表示制御部６１３は取得した友達一覧を表示部６０５に出力する。これにより、表示部６０５に、共有対象となる友達が一覧表示されることになる（ステップＳ１２４）。
【０２２６】
このとき、制御部６０１は、例えば、画像閲覧用アプリケーションの機能によりユーザの友達として登録されている会員を友達一覧に表示してもよいし、管理サーバ４の会員データベースに友達として登録されている会員を友達一覧に表示してもよい。また、友達一覧として、友達の名前を一覧表示してもよいし、友達のメールアドレスを一覧表示してもよいし、各友達が自身のアカウントを示す画像として管理サーバ４に登録している画像（アカウント画像）がある場合には該アカウント画像を一覧表示してもよい。
【０２２７】
表示部６０５に友達一覧が表示されると、ユーザは、入力部６０４を操作することによって、表示中の友達一覧に含まれる友達から、画像の共有を希望する対象となる友達（共有対象友達）を選択する。これにより、入力制御部６１２は、ユーザによる共有対象友達の選択操作を受け付ける（ステップＳ１２７）。
【０２２８】
入力制御部６１２は、ステップＳ１２７において受け付けた共有対象友達を通信制御部６１１に供給し、制御部６０１は、ステップＳ１２５において受け付けた共有対象画像を記憶部６０２から読み出して通信制御部６１１に供給する。通信制御部６１１は、供給された共有対象画像を、共有対象友達に対し、通信部６０３を通じて送信する（ステップＳ１２８）。
【０２２９】
このとき、通信制御部６１１は、例えば、共有対象友達のメールアドレスにより指定される携帯端末に対して共有対象画像を送信してもよいし、共有対象画像および共有対象友達を示す情報を管理サーバ４に送信することにより、管理サーバ４を介して共有対象友達に対して共有対象画像を送信してもよい。
【０２３０】
なお、共有対象友達が無料会員または有料会員である場合に、当該共有対象友達の会員トップページ（会員毎に設定されているマイページ）の所定の領域に、他の会員から画像が共有された旨の案内表示をしてもよい。このとき、案内表示に共有対象画像のサムネイル画像（共有対象画像よりも画像サイズの小さい画像）が表示され、サムネイル画像をクリックすることで、本来のサイズの共有対象画像（共有対象画像そのもの）が表示されるようにすることもできる。
【０２３１】
共有対象友達に対して共有対象画像が送信されると、表示制御部６１３は、送信が完了した旨を示す画面を表示部６０５に表示し、画像共有処理が終了する。また、ユーザが無料会員であると判定した場合（ステップＳ１２３においてＮＯ）、制御部６０１は、他のユーザとの画像の共有に対応していない旨を示す画面（共有未対応画面）を生成し、表示制御部６１３に供給する。そして、表示制御部６１３が共有未対応画面を表示部６０５に表示することで（ステップＳ１２９）、画像共有処理が終了する。また、ユーザが無料会員であると判定した場合、制御部６０１は、無料会員のユーザに対して１枚のみ画像の共有を許可してもよいし、画素の荒い画像（例えば、サムネイル画像）のみの共用を許可してもよい。
【０２３２】
なお、制御部６０１は、ステップＳ１２６において表示される友達一覧に、有料会員である友達のみが表示されるようにしてもよい。この場合には、制御部６０１は、一覧表示の対象となる友達の会員属性から有料会員であるか否かを判定すればよい。また、制御部６０１は、画像共有アプリケーションの機能により有料会員である旨を示す会員情報が関連付けられている友達を一覧表示の候補として取得してもよいし、管理サーバ４の会員データベース４２２に有料会員として登録されている友達を一覧表示の候補として取得してもよい。これにより、管理サーバ４は、有料会員同士に対してのみ画像の共有を許可することができる。
【０２３３】
また、ステップＳ１２３においてユーザが無料会員であると判定した場合、共有未対応画面において、有料会員への登録を促す表示を含めてもよい。これにより、無料会員であるユーザに対して、有料会員への登録を効果的に促すことができる。
【０２３４】
また、ユーザが無料会員であると判定した場合に、制御部６０１（特に、入力制御部６０２）は、表示制御部６１３において保存画像のうち複製制限フラグが関連付けられている画像を選択不可に一覧表示したり、保存画像のうち複製制限フラグが関連付けられていない画像のみを一覧表示することにより、複製指示の受け付けを制限してもよい。
【０２３５】
（その他の構成）
画像に複製制限フラグが関連付けられている構成を例に挙げて説明したが、画像に関連付けられる（付加される）フラグはこれに限定されるものではない。例えば、画像の共有の回数（複製の回数）を制限ことにより画像の複製を制限するフラグ（回数制限フラグ）を、写真シール作成装置１において生成された画像に関連付ける構成を採用することもできる。そして、画像に回数制限フラグが関連づけられている場合には、当該回数制限フラグによって許可される回数だけ、他のユーザと画像を共有することができるようにしてもよい。
【０２３６】
上述のように、本実施形態では、複製制限フラグ（又は、回数制限フラグ）が関連付けられている画像は、ユーザが有料会員でなければ共有することができないが、これらのフラグが関連づけられていない画像については、無料会員であっても上述のような画像共有処理を実行することにより共有することができる。
【０２３７】
また、ユーザが無料会員である場合には、複製制限フラグが関連付けられている画像のうち、１枚の画像についてのみステップＳ１０９又はＳ１２５において選択を受け付け、選択を受け付けた画像について共有を許容する構成を採用することもできる。
【０２３８】
さらに、複製制限フラグは、写真シール作成装置１において生成された全ての画像に対して関連付けられる構成であってもよいし、例えば、サイズの大きな画像、及び、解像度の高い画像などに対して関連づけられる構成であってもよい。なお、サイズの大きな画像とは、例えば、データサイズの大きな画像、及び、他の画像よりも大きなサイズで配置される画像などである。また、１回のゲームにおいて生成される複数の画像のうち無料会員にも共有を許可する少数枚（１枚など）の画像を除く画像に対して複製制限フラグを関連づける構成を採用してもよい。
【０２３９】
具体的には、写真シール作成装置１は、サイズの小さいサムネイル画像については複製制限フラグを関連付けずに自由に複製可能にすると共に、本来のサイズの画像に複製制限フラグを関連付けることができる。さらに、複製制限フラグは、所定の領域に対する保存制限を管理するであってもよく、また、所定の回数だけ複製または保存を許容できるようにしてもよい。この場合には、画像が共有された場合に、複製制限フラグの複製許容回数が減じられればよい。このように、複製制限フラグは画像が所定の回数だけ複製または保存されることを許容することができるため、当該複製制限フラグが関連付けられている画像が友達により閲覧されている場合であっても、複製が所定の回数を超えている場合には友達による複製を許容しないようにすることができる。
【０２４０】
また、会員登録制システム（管理サーバ４が提供する会員向けのサービスなど）又は画像閲覧用アプリケーションなどの機能の１つとして、友達申請機能を設けてもよい。ユーザは、この友達申請の機能を利用して、画像の共有を希望する友達に対して友達申請を行うことができる。
【０２４１】
なお、本実施形態に係る管理サーバ４の制御部４０１は、画像データベース４２４に格納されている画像に対して、携帯端末６へ転送（共有）可能な期間（転送可能期間）を設定してもよい。例えば、制御部４０１は、画像データベース４２４に格納された時点から転送可能期間を経過した画像の転送を禁止してもよい。制御部４０１は、さらに、転送可能期間であっても、転送対象となる画像の転送回数が所定の回数を超えている場合には、転送を禁止してもよい。
【０２４２】
また、制御部４０１は、ユーザが無料会員から有料会員になった際に、当該ユーザの画像に関連付けられている複製亥制限フラグを修正してもよい。例えば、ユーザが無料会員であったときに画像に複製制限フラグが関連付けられている場合には、有料会員になった際に複製制限フラグを解除すればよいし、ユーザが無料会員であったときに複製制限フラグが関連付けられていない場合には、有料会員になった際に複製制限フラグを付加すればよい。
【０２４３】
さらに、写真シール作成装置１において複製禁止フラグを付加する代わりに、例えば、画像閲覧用アプリケーションを用いて携帯端末６に画像を一覧表示している際に、ユーザにより選択された画像に対して複製禁止フラグを付加する構成を採用することもできる。
【０２４４】
また、本実施形態では、ユーザが有料会員である場合に所定の権限を有するユーザであると判定する構成を例に挙げて説明したが、本発明はこれに限定されるものではない。例えば、有料会員の支払う金額に段階を設け、所定の金額以上の有料会員を所定の権限を有するユーザであると判定し、所定の金額未満の有料会員を所定の権限を有さないユーザであると判定する構成を採用することもできる。
【０２４５】
〔変形例１〕
写真シール作成装置から提供されるシール紙には、シール紙に固有のシールＩＤが付されている（つまり、シール紙とシールＩＤとが１対１で関連付けられている）ことが一般的である。また、従来では、ユーザに提供するシール紙にシールＩＤやＱＲコードなどを印刷しておくことにより、これらの情報に基づいてユーザが管理サーバ４に保存されている画像を取得できる写真シール作成装置が知られている。しかし、例えばシールＩＤは、シール紙の端部に帯状に印刷されることが多く、見栄えがよくない。また、ＱＲコードは、シール紙上に印刷のためのスペースが必要であり、シール紙のレイアウトに影響してしまう。
【０２４６】
これに対して、本変形例に係る写真シール作成装置１は、印刷制御部３１４（印刷手段）においてシール紙（シート）に、管理サーバ４へアクセスするための電子透かしであって、シール紙を特定するための特定情報（例えば、シールＩＤなど）を含む電子透かしを印刷する構成を採用する。ここで、電子透かしとは、ユーザの目で識別できないデジタルコードであり、印刷物に埋め込まれる形で印刷される。
【０２４７】
このとき、携帯端末６は、画像観覧用アプリケーションの電子透かし読み取り機能を実行した上で、シール紙に印刷されている電子透かしを読み取ることにより、簡単に管理サーバ４へアクセスする。これにより、携帯端末６は、シール紙に印刷されている画像と同じ画像（換言すれば、電子透かしの示すシールＩＤと関連付けて管理されている画像（或いは、電子透かしの示すシールＩＤをヘッダに含む画像））を、管理サーバ４から取得することができる。
【０２４８】
この構成によれば、写真シール作成装置１は、コードを印刷するためのスペースを要することなく、また、画像の印刷されたシール紙の見栄えを保ちつつ、画像を取得するためにユーザが容易に管理サーバ４にアクセスすることのできるコードをシール紙に印刷することができる。
【０２４９】
さらに、写真シール作成装置１の印刷制御部３１４は、電子透かしをシール紙に印刷される複数の画像にまたがって印刷することが好ましく、シール紙の全面に印刷することが好ましい。この構成によれば、シール紙に印刷されている複数の画像を切り分けた場合には、携帯端末６は、切り分けたシール紙片に印刷されている電子透かしの一部を読み取ったとしても、管理サーバ４にアクセスできなくなる。これにより、シール紙に印刷されている複数の画像を切り分けた場合に、切り分けられた１つのシール紙片に印刷された電子透かしを読み取ることにより、元のシール紙に印刷された全ての画像が取得できてしまうことを防ぐことができる。換言すれば、電子透かしが完全に読み取れるように、シール紙に印刷されたすべての画像が集まることによって、初めて携帯端末６により電子透かしを読み取ることができ、管理サーバ４から各画像を示す画像データをすべて取得できるようにできる。
【０２５０】
もちろん、電子透かしをシール紙に印刷された各画像毎に印刷する構成としてもよい。なお、電子透かしが印刷されるシールの面は、表面（画像が印刷される面）であることが好ましいが、もちろん、裏面であってもよい。
【０２５１】
〔変形例２〕
また、携帯端末などにより例えばＷｅｂサイトなどにアクセスして、サイトのページに含まれる解像度の低い画像を選択すると、解像度の高い画像（解像度の低い画像の元画像）が表示されることが一般的である。
【０２５２】
さらに、Ｗｅｂサイトは一般的なＷｅｂブラウザを利用して画像の閲覧が可能であるため、写真シール作成装置において生成された画像も、管理サーバにアクセスすることにより、同様にして大きな画像として表示し、ダウンロードが可能である。このため、写真シール作成装置において生成された画像と関係のないユーザが、当該画像を取得できてしまう。
【０２５３】
これに対し、本変形例に係る管理サーバ４の送信制御部４１１（送信手段）は、画像閲覧用アプリケーション（所定のアプリケーション）を用いて表示するために携帯端末６に送信する画像として、当該所定のアプリケーションを用いずに（つまり、一般的なＷｅｂブラウザなどを用いて）表示するために送信する画像の解像度よりも高い画像を送信する構成を採用する。
【０２５４】
これにより、ユーザは、携帯端末６において画像閲覧用アプリケーションを用いて管理サーバ４にアクセスすることにより、画像観覧用アプリケーションの機能により画像を高解像度で閲覧することができる。つまり、ユーザは、画像閲覧用アプリケーションを用いて管理サーバ４にアクセスした場合に、画像閲覧用アプリケーションを用いずに管理サーバ４にアクセスした場合よりも、より快適に画像の閲覧及び取得を行うことができる。一方、上記の構成により、不特定のユーザが写真シール作成装置１において生成された画像を大きな画像として取得できてしまうことを防ぐこともできる。
【０２５５】
なお、本変形例では、管理サーバ４の備える機能を、複数のサーバにより実現してもよい。例えば、図１に示す管理サーバ４の構成のうち、（１）通信制御部４１１、メール作成部４１２及び画像管理部４１４を含む制御部４０１と、メールデータベース４２１、画像データベース４２４を含む記憶部４０２と、通信部４０３とを備える第１のサーバ、（２）通信制御部４１１、ウェブページ作成部４１３を含む制御部４０１と、会員データベース４２２及びウェブページデータベース４２３を含む記憶部４０２と、通信部４０３とを備える第２のサーバにより、管理サーバ４の機能を実現することもできる。
【０２５６】
また、携帯端末６は、画像観覧用アプリケーションを用いて画像の閲覧を要求することにより、管理サーバ４から画像を取得することもできるし、管理サーバ４からプッシュ方式で画像を取得することもできる。
【０２５７】
〔ソフトウェアによる実現例〕
写真シール作成装置１、管理サーバ４、および携帯端末６の制御ブロック（特に制御部２０１、制御部４０１、および、制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２５８】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６０】
本発明は、写真シール作成装置において作成されたユーザの撮影画像を管理サーバに保存する撮影画像管理システムとして、幅広く利用することができる。
【符号の説明】
【０２６１】
１      写真シール作成装置
４      管理サーバ
６      携帯端末（端末装置）
１１    撮影ユニット
１２    編集部
１３    事後接客部
２１    撮影部
２０１  制御部（フラグ付加手段）
３１１  通信制御部（送信手段）
３１２  撮影制御部（画像生成手段）
３１３  編集制御部（画像生成手段）
３１４  印刷制御部（印刷手段）
３１５  事後接客制御部
４０１  制御部（制御手段）
４０２  記憶部
４０３  通信部
４１１  通信制御部（送信手段）
４１２  メール作成部
４１３  ウェブページ作成部
４１４  画像管理部（画像複製手段）
６０１  制御部（判定手段）
６０２  記憶部
６０３  通信部
６０４  入力部
６０５  表示部
６１１  通信制御部
６１２  入力制御部（指示受付手段）
６１３  表示制御部（表示制御手段）
【図１】
2015180015.tif 000003
【図２】
2015180015.tif 000004
【図３】
2015180015.tif 000005
【図４】
2015180015.tif 000006
【図５】
2015180015.tif 000007
【図６】
2015180015.tif 000008
【図７】
2015180015.tif 000009
【図８】
2015180015.tif 000010
【図９】
2015180015.tif 000011
【図１０】
2015180015.tif 000012
【図１１】
2015180015.tif 000013
【図１２】
2015180015.tif 000014
【図１３】
2015180015.tif 000015
【図１４】
2015180015.tif 000016
【図１５】
2015180015.tif 000017
【図１６】
2015180015.tif 000018
【図１７】
2015180015.tif 000019
【図１８】
2015180015.tif 000020
【図１９】
2015180015.tif 000021